(57)【要約】【課題】  ダイヤルトーンを検出してダイヤルする機能がない従来機種でも、発着衝突による意図しない相手先への送信を防止することができるファクシミリアダプタを提供する。【解決手段】  ＤＴＭＦ検出手段１０３と、トーン検出手段１０４と、回線閉結検出手段１０５と、ＦＡＸからのモジュラーケーブルを接続する第１のモジュラージャック１１１と、公衆回線からのモジュラーケーブルを接続する第２のモジュラージャック１１２と、ＦＡＸと公衆回線間のリレーを制御するリレー制御手段１０６を備え、さらに、回線閉結を認識後、ダイヤルトーン検出の後ＤＴＭＦを検出した場合は正常な発呼としてリレーは接続したままとするが、ダイヤルトーン検出をしないでＤＴＭＦを検出した場合は発着衝突と認識し、リレーを一定時間開放して回線を切断する制御を行う制御手段１０１を備えた。【選択図】        図１
2006191499.tif 000002
【特許請求の範囲】
【請求項１】
ＤＴＭＦ検出手段と、トーン検出手段と、回線閉結検出手段と、ＦＡＸからのモジュラーケーブルを接続する第１のモジュラージャックと、公衆回線からのモジュラーケーブルを接続する第２のモジュラージャックと、ＦＡＸと公衆回線間のリレーを制御するリレー制御手段と、回線閉結を認識後、ダイヤルトーン検出の後ＤＴＭＦを検出した場合は正常な発呼としてリレーは接続したままとするが、ダイヤルトーン検出しないでＤＴＭＦを検出した場合は発着衝突と認識し、前記リレーを一定時間開放して回線を切断する制御を行う制御手段と、を備えたことを特徴とするファクシミリアダプタ。
【請求項２】
トーン検出手段と、ダイヤルパルス検出手段と、回線閉結検出手段と、ＦＡＸからのモジュラーケーブルを接続する第１のモジュラージャックと、公衆回線からのモジュラーケーブルを接続する第２のモジュラージャックと、ＦＡＸと公衆回線間のリレーを制御するリレー制御手段と、回線閉結を認識後、ダイヤルトーン検出の後ダイヤルパルスを検出した場合は正常な発呼としてリレーは接続したままとするが、ダイヤルトーン検出しないでダイヤルパルスを検出した場合は発着衝突と認識し、前記リレーを一定時間開放して回線を切断する制御を行う制御手段と、を備えたことを特徴とするファクシミリアダプタ。
【請求項３】
請求項１または２記載のファクシミリアダプタにおいて、更に報知手段を備え、前記制御手段は、回線閉結を認識後、ダイヤルトーン検出しないでＤＴＭＦやダイヤルパルスを検出した場合は、前記報知手段により発着衝突である旨を報知するように制御を行うことを特徴とするファクシミリアダプタ。
【請求項４】
請求項１または２記載のファクシミリアダプタにおいて、前記制御手段は、回線閉結を認識後、ダイヤルトーンを検出しないでＣＥＤまたはＩＴＵ−Ｔ勧告のＡＮＳａｍを検出した場合には正常な着呼として扱い、この後のＤＴＭＦを検出しても回線を切断しないように制御を行うことを特徴とするファクシミリアダプタ。
【請求項５】
請求項１または２記載のファクシミリアダプタにおいて、ダイヤルトーンを検出するための周波数やカデンスの設定を調整するＤＩＰＳＷ手段を更に備えたことを特徴とするファクシミリアダプタ。
【請求項６】
請求項１または２記載のファクシミリアダプタにおいて、ダイヤルトーンを検出するための周波数やカデンスの設定を調整するために、＃、＊を使ったＤＴＭＦを使用したことを特徴とするファクシミリアダプタ。
【請求項７】
請求項１または２記載のファクシミリアダプタにおいて、ダイヤルトーンを検出するための周波数やカデンスの設定を調整するためのＲＳ−２３２Ｃポートを備えたことを特徴とするファクシミリアダプタ。
【請求項８】
請求項５記載のファクシミリアダプタにおいて、回線を閉結して、ダイヤルトーンを前記トーン検出手段により計測し、その計測結果を当該回線のダイヤルトーンとして記憶することを特徴とするファクシミリアダプタ。
【発明の詳細な説明】
【技術分野】
【０００１】
本発明はファクシミリアダプタに関する。
【背景技術】
【０００２】
アナログの公衆回線では、回線閉結は交換機のステータスにより発呼動作か着呼受付か意味が異なる。つまり発呼側では発呼動作のつもりだが、交換機としては着呼受付の意味にとることがある。たとえばＦＡＸ−ＡからＦＡＸ−Ｂに発呼送信する場合に、一瞬早くＦＡＸ−ＣがＦＡＸ−Ａに対して発呼するケースがある。
この場合ＦＡＸ−Ａが回線閉結するとそれはＦＡＸ−ＣからＦＡＸ−Ａへの通信が成立したことになる場合がある。Ａは発呼の後送信しようとしているので、もしＦＡＸ−Ｃで着信動作を開始すればＦＡＸ−ＡからＦＡＸ−Ｂに送るべき原稿がＦＡＸ−ＡからＦＡＸ−Ｃに送られることになる。
これを防ぐためにＦＡＸではダイヤルトーンを聞いて発呼するように作られている機種がある。参考までにリングバックトーンや極反を検出して外付け電話のリレーを切り替えるものとして、本件出願人の出願に係る特許文献１記載の技術がある。
【特許文献１】特開２０００―１１５４０９公報
【発明の開示】
【発明が解決しようとする課題】
【０００３】
ところが、古い機種ではダイヤルトーンを検出してダイヤルする機能がないため、従来技術で指摘した不具合を発生することがある。
そこで本発明は、ダイヤルトーンを検出してダイヤルする機能がない従来機種でも、発着衝突による意図しない相手先への送信を防止することができるファクシミリアダプタを提供することを目的とする。
【課題を解決するための手段】
【０００４】
上記目的を達成するために、請求項１記載の発明は、ＤＴＭＦ検出手段と、トーン検出手段と、回線閉結検出手段と、ＦＡＸからのモジュラーケーブルを接続する第１のモジュラージャックと、公衆回線からのモジュラーケーブルを接続する第２のモジュラージャックと、ＦＡＸと公衆回線間のリレーを制御するリレー制御手段と、回線閉結を認識後、ダイヤルトーン検出の後ＤＴＭＦを検出した場合は正常な発呼としてリレーは接続したままとするが、ダイヤルトーン検出しないでＤＴＭＦを検出した場合は発着衝突と認識し、前記リレーを一定時間開放して回線を切断する制御を行う制御手段と、を備えたことを特徴とする。
請求項２記載の発明は、トーン検出手段と、ダイヤルパルス検出手段と、回線閉結検出手段と、ＦＡＸからのモジュラーケーブルを接続する第１のモジュラージャックと、公衆回線からのモジュラーケーブルを接続する第２のモジュラージャックと、ＦＡＸと公衆回線間のリレーを制御するリレー制御手段と、回線閉結を認識後、ダイヤルトーン検出の後ダイヤルパルスを検出した場合は正常な発呼としてリレーは接続したままとするが、ダイヤルトーン検出しないでダイヤルパルスを検出した場合は発着衝突と認識し、前記リレーを一定時間開放して回線を切断する制御を行う制御手段と、を備えたことを特徴とする。
請求項３記載の発明は、請求項１または２記載のファクシミリアダプタにおいて、更に報知手段を備え、前記制御手段は、回線閉結を認識後、ダイヤルトーン検出しないでＤＴＭＦやダイヤルパルスを検出した場合は、前記報知手段により発着衝突である旨を報知するように制御を行うことを特徴とする。
【０００５】
請求項４記載の発明は、請求項１または２記載のファクシミリアダプタにおいて、前記制御手段は、回線閉結を認識後、ダイヤルトーンを検出しないでＣＥＤまたはＩＴＵ−Ｔ勧告のＡＮＳａｍを検出した場合には正常な着呼として扱い、この後のＤＴＭＦを検出しても回線を切断しないように制御を行うことを特徴とする。
請求項５記載の発明は、請求項１または２記載のファクシミリアダプタにおいて、ダイヤルトーンを検出するための周波数やカデンスの設定を調整するＤＩＰＳＷ手段を更に備えたことを特徴とする。
請求項６記載の発明は、請求項１または２記載のファクシミリアダプタにおいて、ダイヤルトーンを検出するための周波数やカデンスの設定を調整するために、＃、＊を使ったＤＴＭＦを使用したことを特徴とする。
請求項７記載の発明は、請求項１または２記載のファクシミリアダプタにおいて、ダイヤルトーンを検出するための周波数やカデンスの設定を調整するためのＲＳ−２３２Ｃポートを備えたことを特徴とする。
請求項８記載の発明は、請求項５記載のファクシミリアダプタにおいて、回線を閉結して、ダイヤルトーンを前記トーン検出手段により計測し、その計測結果を当該回線のダイヤルトーンとして記憶することを特徴とする。
【発明の効果】
【０００６】
請求項１の発明では、回線閉結を認識後、ダイヤルトーン検出しないでＤＴＭＦを検出した場合は、発着衝突と認識してリレーを一定時間開放して回線を切断するので発着衝突による意図しない相手先への送信を防止することができる。
請求項２の発明では、回線閉結を認識後、ダイヤルトーン検出しないでダイヤルパルスを検出した場合は、発着衝突と認識してリレーを一定時間開放して回線を切断するので発着衝突による意図しない相手先への送信を防止することができる。
請求項３の発明では、請求項１、２において発着衝突として送信を中止したときにブザーを鳴らすことができるので、ユーザに送信中止の理由を明示することができる。
請求項４の発明では、ダイヤルトーンを検出しないでＣＥＤを検出した場合には正常な着呼として扱うので、着信時に切断することがなくなる。
請求項５の発明では、ＤＩＰＳＷでダイヤルトーンを検出するための周波数やカデンスの設定を調整できるようにできるので、ＰＢＸや特殊な交換機でも請求項１〜４の対応が可能となる。
請求項６の発明では、ＤＴＭＦでダイヤルトーンを検出するための周波数やカデンスの設定を調整できるようにできるので、ＰＢＸや特殊な交換機でも請求項１〜４の対応が可能となる。
請求項７の発明では、ＲＳ−２３２Ｃを用いてダイヤルトーンを検出するための周波数やカデンスの設定を調整できるようにできるので、ＰＢＸや特殊な交換機でも請求項１〜４の対応が可能となる。
請求項８の発明では、実際のダイヤルトーンを計測して検出すべき周波数を特定するので、確実にダイヤルトーン検出ができ、請求項１〜４の対応が可能になる。
【発明を実施するための最良の形態】
【０００７】
以下、本発明の実施の形態を図面にしたがって説明する。
図１は本発明の実施の形態に係るファクシミリアダプタのブロック構成図である。
このファクシミリアダプタ１００は、システムを制御するＣＰＵ１０１と、システムを制御するプログラムやダイヤルトーン検出のパラメータを格納するメモリ１０２と、ＤＴＭＦを検出し、トーン検出１０４はダイヤルトーンやＣＥＤを検出するＤＴＭＦ検出部１０３と、
直流電流や電圧などにより回線閉結を認識し、ダイヤルパルス検出部として併用する回線閉結検出部１０５と、リレーを制御し、第１、第２のモジュラージャック１１１、１１２を接続・切断するリレー制御部１０６と、それぞれＦＡＸおよび公衆回線に接続するためのものである第１、第２のモジュラージャック１１１、１１２と、ブザーを鳴らすブザー部１０７と、ＤＩＰＳＷを介して値を読むことができるＤＩＰＳＷ部１０８と、ＲＳ−２３２Ｃからの命令を解釈するＲＳ−２３２Ｃ部１０９と、を備えて構成され、符号１０１から１０９までのユニットはシステムバス１１０に接続して、ＣＰＵ１０１に制御されている。
図２は本発明のファクシミリアダプタにおける第１の制御例（請求項１〜４の発明に対応）を示すフローチャートである。回線閉結を認識した後のフローを示す。回線閉結を認識すると（処理２０１）、ＤＴＭＦもしくはダイヤルパルスを検出したか判断する（処理２０２）。Ｎｏならばダイヤルトーンを検出したか判断する（処理２０５）。
そこでもＮｏならばＣＥＤを検出したか判断する（処理２０６）。さらにＮｏならば処理２０１に戻る。Ｙｅｓならば回線開放したか判断する（処理２０７）。Ｎｏならば処理２０７に戻る。Ｙｅｓならば回線閉結を監視する（処理２０８）。
処理２０２でＹｅｓの場合はブザーを鳴らし（処理２０３）、リレーによりＦＡＸ側と公衆回線側を一定時間切断し（処理２０４）、処理２０７に遷移する。処理２０５でＹｅｓの場合は処理２０７に遷移する。なお、ＣＥＤの検出の代わりに、ＩＴＵ−Ｔ勧告のＡＮＳａｍの検出でもよい。
【０００８】
図３は値１、２とその意味を示す（請求項５〜７の発明を説明するための）テーブルである。請求項５、６、７の発明に示す方式で値１、２が指定された場合、ダイヤルトーン検出のための周波数やカデンスを設定する例である。
図４は本発明のファクシミリアダプタにおける第２の制御例（請求項５〜７の発明に対応）を示すフローチャートである。ダイヤルトーン検出のための値１、２を読む（処理４０１）。
これは請求項５の発明ならばＤＩＰＳＷ部１０８から読む。請求項６の発明ならばＤＴＭＦ検出部１０３から読む。請求項７の発明ならばＲＳ−２３２Ｃ部１０９から読む。そして図３のテーブルに従いダイヤルトーン検出のための設定を行う（処理４０２）。
図５は本発明のファクシミリアダプタにおける第３の制御例（請求項８の発明に対応）を示すフローチャートである。ダイヤルトーンを記憶するという設定になっているかチェックする（処理５０１）。Ｙｅｓならば回線を閉結し（処理５０２）、トーン検出部１０４でダイヤルトーンを検出する（処理５０３）。そしてその周波数をダイヤルトーンＲＡＭに記憶し（処理５０４）、処理５０１に遷移する。
処理５０１でＮｏならばトーン検出部１０４で周波数を計測する（処理５０５）。そして計測した周波数がダイヤルトーンＲＡＭの値と一致するか判断する（判断５０６）。Ｙｅｓならばダイヤルトーン検出とし処理５０１に遷移する。Ｎｏならばそのまま処理５０１に遷移する。判断５０６では予め±数１０Ｈｚを許容するようにしておくことも可能である。
【図面の簡単な説明】
【０００９】
【図１】本発明の実施の形態に係るファクシミリアダプタのブロック構成図。
【図２】本発明のファクシミリアダプタにおける第１の制御例を示すフローチャート。
【図３】値１、２とその意味をテーブルで示した図。
【図４】本発明のファクシミリアダプタにおける第２の制御例を示すフローチャート。
【図５】本発明のファクシミリアダプタにおける第３の制御例を示すフローチャート。
【符号の説明】
【００１０】
１０１  ＣＰＵ（制御手段）
１０２  メモリ
１０３  ＤＴＭＦ検出部（ＤＴＭＦ検出手段）
１０４  トーン検出部（トーン検出手段）
１０５  回線閉結検出部（回線閉結検出手段）
１０６  リレー制御部（リレー制御手段）
１０７  ブザー部（ブザー手段）
１０８  ＤＩＰＳＷ部（ＤＩＰＳＷ手段）
１０９  ＲＳ−２３２Ｃ部（ＲＳ−２３２Ｃポート）
１１１  第１のモジュラージャック
１１２  第２のモジュラージャック
【図１】
2006191499.tif 000003
【図２】
2006191499.tif 000004
【図３】
2006191499.tif 000005
【図４】
2006191499.tif 000006
【図５】
2006191499.tif 000007